(57)【要約】【課題】安価な携帯用であって、それでいて、花粉症に効果のある花粉症治療器を提供する。【解決手段】ペンシル状の本体ケース１ａ内に、長手方向に回路基板２を設け、この回路基板２上に、紫外線光を発する発光ダイオード３と、この発光ダイオード３を駆動する電池８と、発光ダイオード３の駆動をワンタッチでＯＮあるいはＯＦＦするスイッチ５とを搭載し、かつ発光ダイオード３の前方にレンズ１０を設けている。本体ケース１ａの先端を鼻腔内に挿入し、発光ダイオード３より、患部に紫外光を照射する。【選択図】  図１
0003110728.tif 000002
【実用新案登録請求の範囲】
【請求項１】
ペンシル状のケース体に、紫外線光を発する発光ダイオードと、この発光ダイオードを駆動する電池と、前記発光ダイオードの駆動をワンタッチでＯＮあるいはＯＦＦするスイッチと、を備え、かつ前記発光ダイオードの前方にレンズを設けたことを特徴とする花粉症治療器。
【請求項２】
前記ケース体の発光ダイオード側先端に、前記発光ダイオードからの光を伝送する光ファイバを設けたことを特徴とする請求項１記載の花粉症治療器。
【請求項３】
前記光フアイバは、先端で２路に分岐したものであることを、特徴とする請求項２記載の花粉症治療器。
【請求項４】
前記ケース体の先端が、二股状に分岐して形成され、この二股分岐部のそれぞれに、紫外線発光の発光ダイオードを設けたことを特徴とする請求項１記載の花粉症治療器。
【請求項５】
前記スイッチがＯＮされた状態で、前記発光ダイオードを間欠的に駆動することを特徴とする請求項１、請求項２、請求項３、または請求項４記載の花粉症治療器。
【考案の詳細な説明】
【技術分野】
【０００１】
この考案は、携帯型の花粉症治療器に関する。
【背景技術】
【０００２】
近年、花粉症に悩まされる人が非常に増えている。この、花粉症に対する個人の防御方法としては、マスクを着ける。花粉症にかからないよう体質改善する。薬剤を服用する。などが一般的である。また、症状が出た場合に使用する治療器として、複数の発光ダイオードを有する発光ダイオードパックを備え、この発光ダイオードパックを、鼻炎に犯された鼻腔へ、挿入し、発光ダイオードより、赤色光帯域幅の光を患部に照射し、鼻炎を治療する鼻炎治療装置が開示されている〔例えば特許文献１参照〕。
【特許文献１】特開平７―２３６７００号公報
【考案の開示】
【考案が解決しようとする課題】
【０００３】
上記した、従来の特許文献１に記載の鼻炎治療装置では、治療光を複数の発光ダイオードにより発するので、駆動用の電力を要する上、小型化に適さず携帯用とするには高価格の発光ダイオードを使用せねばならず、安価な携帯用の治療器を提供するには、問題があった。また、本願考案者の検討で、花粉症に対しては、赤色領域の光よりも、紫外線領域の光の滅菌力の方が効果があることを見出した。
【０００４】
この考案は、上記問題点に着目してなされたものであって、安価な携帯用であって、それでいて、花粉症に効果のある花粉症治療器を提供することを目的とする。
【課題を解決するための手段】
【０００５】
この考案の花粉症治療器は、ペンシル状のケース体に、紫外線光を発する発光ダイオードと、この発光ダイオードを駆動する電池と、前記発光ダイオードの駆動をワンタッチでＯＮあるいはＯＦＦするスイッチと、を備え、かつ前記発光ダイオードの前方にレンズを設けている。
【０００６】
この考案の花粉症治療器において、前記ケース体の発光ダイオード側先端に、前記発光ダイオードからの光を伝送する光ファイバを設けても良い。
【０００７】
また、  この考案の花粉症治療器において、前記光フアイバは、先端で２路に分岐したものとしてもよい。
【０００８】
また、この考案の花粉症治療器において、前記ケース体の先端が、二股状に分岐して形成され、この二股分岐部のそれぞれに、紫外線発光の発光ダイオードを設けることも出来る。
【０００９】
また、この考案の花粉症治療器において、前記スイッチがＯＮされた状態で、前記発光ダイオードを間欠的に駆動することとできる。
【考案の効果】
【００１０】
この考案によれば、ペンシル状のケース体に、紫外線光を発する発光ダイオードと、この発光ダイオードを駆動する電池と、前記発光ダイオードの駆動をワンタッチでＯＮあるいはＯＦＦするスイッチと、を備え、かつ前記発光ダイオードの前方にレンズを設けているので、紫外線光による治療効果が得られる上、安価で、形態に便利な花粉症治療器を得ることが出来る。
【考案を実施するための最良の形態】
【００１１】
以下、実施の形態により、この考案をさらに詳細に説明する。図１は、この考案の一実施形態である花粉症治療器を示す断面図である。この花粉症治療器は、ケース１の外形がペンシル状に形成され、ケース１は、本体ケース１ａと、蓋ケース１ｂとから構成されている。
【００１２】
本体ケース１ａ内には、回路基板２がケース１の長手方向に設けられ、この回路基板２上には、紫外光を発するＬＥＤ〔発光ダイオード〕３、回路部品４、スイッチ５が搭載されている。また、蓋ケース１ｂの下方の本体ケース１ａ内には、電池８が収納されている。この電池８は、収納された状態で、プラス電極が、仕切り板６に形成された電極パタ−ン７に接し、マイナス電極が、電極金具板９に接触している。電極パターン７、電極金具板９は、回路基板２上の回路パターンに電気的に接続されている。ＬＥＤ３は、光軸がケース１の長手方向を向くように配置され、ＬＥＤ３の前方で、本体ケース１ａの先端ないにレンズ１０が設けられている。本体ケース１ａの先端は紫外光を通す部材で形成されている。スイッチ５は、操作ボタン５ａを有し、操作ボタン５ａをワンタッチするごとに、交互にＯＮ／ＯＦＦ動作する。
【００１３】
図２は、この実施携帯花粉症治療器の回路接続図である。回路部品４には、タイマ４ａと、パルス発生器４ｂの機能回路を有する。タイマ４ａは、スイッチ５がＯＮして計時を開始し、一定時間経過〔例えば３分〕でタイムアップする。計時中は、パルス発生回路４ｂに駆動信号を出力する。パルス発生回路４は、駆動信号を受けている間、短周期のパルス信号を出力する。しかもＯＦＦ期間に比しＯＮ期間の短い、つまりデユテイの小さいパルス信号が出力され、ＬＥＤ３に印加される。
【００１４】
この実施形態花粉症治療器を用いて、治療する場合は、ケース１の先端を治療する鼻腔内に差入れ、スイッチ５の操作ボタン５ａをワンタッチする。これにより、スイッチ５がＯＮし、電池８より、タイマ４ａに電源が与えられ、タイマ４ａは計時を開始する。そしてパルス発生回路４ｂが、パルス信号を発生し、ＬＥＤ３にパルス信号を印加する。ＬＥＤ３は、短い正のパルス時のみ紫外光を発光し、レンズ１０を介して、その紫外光を患部に照射する。紫外光の滅菌作用により症状が改善されるが、短期の通電なので、電力消費が軽減される。
【００１５】
図３はこの考案の他の実施形態を示す概略図であり、図３の（ａ）は全体を示す概略図、図３の（ｂ）は、図３の（ａ）のＡ−Ａで切断した断面図である。この実施形態では、図１に示した本体ケース１ａのＬＥＤ側先端に、開口１１を設け、この開口１１に光ファイバ１２を挿入したものである。光ファイバ１２の始端１２ｃは、端面がＬＥＤ３に対面している。光ファイバ１２は、途中で２本の光ファイバ１２ａ，１２ｂに分岐し、それぞれの先端に鼻腔への挿入部１３ａ，１３ｂを有する。治療に際しては、挿入部１３ａ，１３ｂを鼻腔内に挿入して、スイッチ５をＯＮする。この、実施形態では、ケースをポケットなどに入れておくことが出来、手で把持しなくても使用できる。また、一個のＬＥＤで、両鼻腔内を同時に治療できる。
【００１６】
図４はこの考案の他の実施形態を示す概略図である。この実施形態では、図１に示した本体ケース１ａのＬＥＤ側先端を、二股形状に形成し、二股部１４ａ，１４ｂの先端内部に、それぞれＬＥＤ３ａ，３ｂを備えている。また二股部１４ａ，１４ｂの先端に、レンズ１０ａ，１０ｂを形成している。本体ケース１の二股部１４ａ，１４ｂの両者の距離は、人の鼻腔間距離となるように設定している。回路図は図５に示すものとなり、ここでは、パルス発生器４ｂで発生するパルス信号のデユテイを５０％/５０％とすることにより、正パルスでＬＥＤ３ａを、負パルスでＬＥＤ３ｂをと、交互に駆動する。
【００１７】
この実施形態では、スイッチ５を２回路切り替え式のものとすることにより、一方のＬＥＤのみを選択的に駆動するように出来る。この実施形態によれば、二股部１４ａ，１４ｂを、鼻腔に差し込むのみで、後は手で所持することなく治療できる。また二股部１４ａ，１４ｂをそれぞれ左右の鼻腔に入れて治療することも、あるいは二股部１４ａ，１４ｂの片方のみを鼻腔に入れて治療することもできる。
【図面の簡単な説明】
【００１８】
【図１】この考案の一実施形態花粉症治療器を示す断面図である。
【図２】同実施形態花粉症治療器の電気的接続を示す回路図である。
【図３】この考案の他の実施形態花粉症治療器を示す概略図である。
【図４】この考案のさらに他の実施形態花粉症治療器を示す概略図である。
【図５】同実施形態花粉症治療器の電気的接続を示す回路図である。
【符号の説明】
【００１９】
１                            ケース
１ａ                          本体ケース
１ｂ                          蓋ケース
２                            回路基板
３  ，３ａ，３ｂ              ＬＥＤ
４ａ                          タイマ回路
４ｂ                          パルス発生器
５                            スイッチ
５ａ                          操作ボタン
８                            電池
１０，１０ａ，１０ｂ          レンズ
１２，１２ａ，１２ｂ          光ファイバ
１３ａ，１３ｂ                挿入部
【図１】
0003110728.tif 000003
【図２】
0003110728.tif 000004
【図３】
0003110728.tif 000005
【図４】
0003110728.tif 000006
【図５】
0003110728.tif 000007